(57)【特許請求の範囲】
【請求項１】
引込式針（５）を備えた使い捨て注射器（１００）であって、開端部及び該開端部に滑動可能に挿入されるピストン要素（２）を有する容器（１）を含み、該ピストン要素（２）は該容器（１）の内側に対面する端部を有し、該容器（１）はリップ状突出部（３０）に囲まれた前開端部と、前記針（５）を担持し且つ前記ピストン要素（２）に向かって、また該ピストン要素（２）から離れて、前記リップ状突出部（３０）内で滑動可能な針担持ソケット要素（４）と、前記リップ状突出部（３０）内にあって前記針担持ソケット要素（４）を前記ピストン要素（２）に向かって連続的に押圧しているバネ（８）と、前記リップ状突出部（３０）にある内側に延びる座部（１１）と、前記針担持ソケット要素（４）にある内側に延びる座部（４３）と、前記針担持ソケット要素（４）に固定されていて該針担持ソケット要素（４）とともに移動可能な可撓の要素（９）とを有し、この可撓の要素（９）は前記バネ（８）が前記針担持ソケット要素（４）を前記ピストン要素（２）に向かって押圧するとき前記リップ状突出部（３０）にある座部（１１）に係合して、前記ピストン要素（２）に向かっての前記針担持ソケット要素（４）の移動を制限する部分（９６）を有し、前記可撓の要素（９）は前記ピストン要素（２）によって係合される部材（９１）を有して、この可撓の要素（９）の一部分（９９）を前記針担持ソケット要素（４）内に押しつけるようになっており、この可撓の要素（９）の前記一部分（９９）はフックを備えていて、前記針担持ソケット要素（４）内に押しつけられたとき、前記針担持ソケット要素（４）の座部（４３）の下に係合して前記可撓の要素（９）を変形された姿勢に保持し、ここにおいて、前記針担持ソケット要素（４）は、前記リップ状突出部（３０）の座部（１１）と前記可撓の要素（９）の前記部分（９６）との係合が解かれて解放され、そこで、前記ピストン要素（２）が前記針（５）から離れる方向に引き込まれるとき、前記バネ（８）は前記針担持ソケット要素（４）、前記針（５）、及び前記可撓の要素（９）を前記ピストン要素（２）に向かう方向に押しつけて、前記リップ状突出部（３０）内に前記針（５）を引き込めるようになっており、前記可撓の要素（９）は逆Ｖ字形状でなる複数の横方向の突端を有しており、この逆Ｖ字形の頂部が、前記リップ状突出部（３０）の座部（１１）の下に係合する、前記可撓の要素（９）の前記部分（９６）であることを特徴とする注射器。
【請求項２】
前記可撓の要素（９）は単一片のプラスチック構造で成る、請求項１に記載の注射器。
【請求項３】
各逆Ｖ字形状の突端の一脚は前記可撓の要素の中央部分（９１）に固着されており、他脚は前記針担持ソケット要素（４）に回転可能に保持されている、請求項１に記載の注射器。
【請求項４】
前記針担持ソケット要素（４）が、前記ピストン要素（２）に対面していて前記可撓の要素（９）の中央部分（９１）が前記針（５）の方向に向かう移動を制限する、第２の座部（４３）を有している、請求項１に記載の注射器。
【発明の詳細な説明】
【技術分野】
【０００１】
本発明は、引込式針を備えた使い捨て注射器に関する。
【０００２】
より詳しくは、本発明は、注射器の２回目の使用を防止するように引き込み可能な針が設けられた、上記の種類の注射器に関する。
【背景技術】
【０００３】
周知の通り、プラスチック製支持体又はプラスチック製ソケットとの結合によって、針が外側から注射器の容器本体に付けられる、様々な種類の注射器が、既に市販されている。
【０００４】
使用後、前記針は通常、適切なキャップという保護を全くせずに、注射器と共に処分される。
【０００５】
このように、注射器の処分は、針と接触することによって病気を感染させる危険、つまり２人以上の使用者が注射器を使用した場合、或いは保護キャップを針に配置する間に穿刺があった場合、或いは針を保護するキャップを使用せずに注射器が投棄された場所で清掃要員が偶発的に針と接触した場合に起こり得る感染の危険を伴うことが明白である。
【０００６】
上記に鑑みて、上記の欠点を解決するために、過去に様々な解決方法が研究された。
【０００７】
しかし提案された解決方法のいずれも、決定的な形で上述の欠点を解決することを可能にしないが、それは、それらのいずれもが、使用の大幅な複雑さをもたらし、従来の使い捨て注射器で用いられた手順とは異なって使用することが必要となるからである。
【０００８】
さらに、寸法の縮小、及び注射器を構成する単片体の数によって、製造するのが複雑になった。
【０００９】
提案された様々な解決方法の中で、針をその座部から開放するようにピストンを回転させ、そのピストンで針を引き離すことを提供する解決方法、或いはストロークの終わりで針を封鎖し、それを引っ掛け、これに続くピストンの上り局面中にそれを引き込めることができるフックを備えたピストンを提供する解決方法に言及することができる。
【００１０】
しかし上述のいずれも、一連の結果を引き起こすものであり、それらの中には、注射中に針が時期尚早に離れてしまうこと、或いは反跳や段差のためにデバイスの機能が危うくなることがある。
【発明の開示】
【発明が解決しようとする課題】
【００１１】
上記を鑑みて、本出願人は、上述の欠点を全て解決することが可能な使い捨て注射器を実現した。
【００１２】
したがって、本発明の主な目的は、使用し易く、簡単に実現できる注射器を提供することである。
【００１３】
本発明の他の目的は、使い捨て注射器であって、注射器の内容物を完全に使用したことを判定し、いかなる場合も注射前の薬剤の混合、及び注射器の確実な活動化を可能にし、一旦活動化限界を通過すると、同じ注射器は二度と使用することができないように、不可逆である注射器を提供することである。
【００１４】
本発明の他の目的は、安定性のある、即ち注射器の使用中、段差及び反跳を防止するように実現された使い捨て注射器である。
【００１５】
本発明の他の目的は、低コストで、実現化し易く、極めて少数の組み立て片から成る注射器を提供することである。
【００１６】
本発明の他の目的は、上記種類の極めて使用し易い注射器であって、その使用前に注射器本体に指示された、視認可能な不可逆限界を通過しないよう注意を払う以外は、さらなる手順が使用者によって全く必要とされない注射器を提供することである。
【課題を解決するための手段】
【００１７】
したがって、本発明の具体的な目的は、引込式針を備えた使い捨て注射器において、容器の内側に面した端部にガスケットが設けられるピストン要素を、滑動して挿入するための後開端部と、針を結合するためのリップ状突出部と、非使用時用の針用保護キャップとが設けられた同様の前開端部とを有する容器を備える注射器であって、容器の前記リップ状突出部にその容器の内側から結合可能な針担持ソケット要素が設けられること、針担持ソケットと容器のリップ状突出部の間の密閉ガスケットを着座させる座部が、前記リップ状突出部に実現されること、ダブル・フック要素である可撓の要素が設けられて、針の前記ソケット要素の端部に向かうピストン・ストロークの後、ピストンの逆ストローク中に容器内でその引き込みを可能にすること、並びに弾性要素又はバネが、前記ダブル・フック要素と前記容器のリップ状突出部の端部との間に設けられ、圧縮された時、それが前記ダブル・フック要素をその定位置に維持し、延長された時、容器内で針を戻らせるように作用することを特徴とする注射器である。
【００１８】
本発明によれば、不可逆点が前記容器に示されて、ピストン作動によるダブル・フック要素の不可逆性を指示する。
【００１９】
本発明によれば必ず、前記針用ソケット要素は、ダブル・フック要素を球面結合させる蝶番と、座部からソケット要素を並進させる始動部と、ダブル・フック要素の突起部の固定接合部用の座部と、前記ダブル・フック要素用の停止部と、前記弾性要素又はバネ用の座部と、ソケットと注射器本体の間の前記密閉ガスケットのための座部と、前記針用の円錐状始動部を有する座部と、誤差が縮小された壁とを提供する。
【００２０】
本発明によれば、前記ダブル・フック要素は、空洞の中央の円柱を提供し、この円柱の上方部分の大きな縦方向の切り込みと、前記中央の円柱本体に結合され、それに関して対照に設けられ、前記ソケット要素に実現された座部と結合する側方突起部とが設けられ、その側方突起部は、角度が縮小された蝶番に応じて、その軸の周囲では、部分的な回転しか可能でなく、その底部では、前記針担持ソケットとの不可逆的な引っ掛けが備えられる
【００２１】
ダブル・フック要素には、複数の側方突起部が設けられることが好ましい。
【００２２】
さらに本発明によれば、複数の弾性要素又はバネを連続配置して設けることができる。
【００２３】
本発明によれば、前記ピストンは、それぞれの形状を有することができる。
【００２４】
さらに、本発明によれば、前記ダブル・フック要素は、溶接又は固定接合によって、針担持ソケットと結合することができる。
【００２５】
さらに本発明によれば、前記針担持ソケット要素は、下向きの垂直な動きを、前記密閉ガスケットと結合する力によって阻止されたままであり、又前記注射器リップに実現された適切な座部によって、適切な座部で注射本体に係合するダブル・フック要素の前記突起部による上向きの垂直な動きを阻止されたままであり、横方向の動きを、ソケット要素と注射器本体の最小誤差による結合によって阻止されたままであり、注射器の軸の周りの回転運動を、抵抗によって阻止されたままである。
【００２６】
本発明によれば必ず、前記弾性要素又はバネと、前記密閉ガスケットは、注射局面中に圧縮されて、前記ダブル・フック要素を注射器本体に上向きに押し付けて、前記ダブル・フック要素を定位置に維持する助けとなる。
【００２７】
本発明によれば必ず、前記ピストンは、前記不可逆点を通過すると、ダブル・フック要素のフック・デバイスを作動状態にして、側方突起部の回転による締りを引き起こし、そのようにして、ダブル・フック要素の「ひざ」要素を、注射器本体との拘束から開放し、前記ダブル・フック要素は、固定接合部が設けられた突起部によって下向きに滑動して、針担持ソケット要素に掛かり、そのようにしてこのソケット要素と単一のアセンブリを実現するが、針―針担持ソケット要素―ダブル・フック要素のアセンブリは、弾性要素又はバネの作用によって後ろ向きに滑動し、その延長ストロークで前記針を容器内に引き入れ、ピストンへの押圧作用によって開放される。
【００２８】
本発明による注射器を構成する要素は、好ましくは変形可能な材料から成る。
【００２９】
次に本発明を、限定する目的ではなく、例示的目的で、その好ましい実施例によって、特にここに同封する図面の図を参照して、記述する。
【実施例】
【００３０】
次にここに同封する全ての図面を見ると、参照番号１００で全体を示す本発明による注射器は、以下の、既に市販されている標準型注射器にも存在する構成要素、即ち円柱容器１、ピストン２、ピストン２用密閉ガスケット３、スチール針５を係合させるソケット４、並びに注射器１００の使用前及び使用後に針５を保護するキャップ６を提供する。
【００３１】
本発明による注射器１００は、３つの追加の要素、即ち密閉ガスケット７、バネ８、及び以下にスパイダ要素としても示すダブル・フック要素９（即ち、可撓な要素）を提供するが、前記要素及びそれらの機能は、以下にさらに詳しく述べる。
【００３２】
以下の記述から明確に分かるように、本発明による注射器１００は、注射する物質の混合、注射の実行、及び血液の抜取りを可能にする。
【００３３】
本発明の注射器１００の構造は、針引き込みデバイスを開放せず、機構を起動せずにその使用を提供し、針の使用を不可逆にする。
【００３４】
次にここに同封する様々な図をより詳しく見て、本発明による注射器１００の革新的な部分を述べる。
【００３５】
本発明による注射器１００の容器１は、標準型注射器と同様であるが、針５は、内側から針５を含み、外側からは含まない。
【００３６】
特に、図２から明確に分かるように、容器１の前記リップ状突出部（３０）は、丸みを帯びた外側形状を有し、ダブル・フック９用の固定用座部１１、及び針５担持ソケット４を受け取る、密閉ガスケット７用の座部１３、バネ８用の座部１４、並びに不可逆点の指示１５を提供する。
【００３７】
ピストン２に関して、これは平坦な底部を備えた標準型の注射器で使用するものと同じである。ピストン２を密閉するガスケット３も、標準型の平坦底部の注射器で使用するものと同じである。
【００３８】
次に針５ソケット４を見ると（ここに同封する図４も参照されたい）、これは、本発明によって提案する解決方法の革新的な主たる特徴の１つである。まず、前記ソケット４は、標準型注射器と同様に、容器１の外側ではなく、内側に取り付けられる。
【００３９】
前記ソケット４（特に図２を参照されたい）は、ダブル・フック要素９を球面結合させる蝶番４１と、ダブル・フック要素９の突起部９８の端部に設けた固定接合部９９の固定結合部用座部４３、ダブル・フック要素９の停止部４４、バネ８用の座部、ソケット４と注射器１００本体１の間の密閉ガスケット用の座部４６、及び針５を結合させる円錐状始動部を備えた座部４７を提供する。
【００４０】
針５も、従来のものと実質的に同じであり、前記ソケット４に取り付けられる。
【００４１】
キャップ６に関して、これは従来のものと実質的に同じであり、リップ状突出部３０が従来のキャップに対してより大きな直径を有するので、より広い円錐を特徴とする。キャップ６の配置は、いずれの場合もリップ状突出部３０への簡単な圧力によって得られる。
【００４２】
本発明によって提案する密閉ガスケット７は、注射中の注射器内に含まれる液体の漏れを、最小限にするか又は防止するのに必須である。ゴムの環から成るこのガスケットの、注射１００本体１の間における存在は、著しく重要である。これは本体のリップと針５担持ソケット４の間に設けられ、特に前記要素を受け取るような形状である。
【００４３】
バネ８に関して、これは針５が容器１内に引き込まれることを可能にする。前記バネ８は、針５担持ソケット４内の、注射器１００の容器１のリップ状突出部３０に部分的に得られた座部内に収容される。
【００４４】
次にダブル・フック要素９をより詳しく述べ、図５も見ると、これは、針５担持ソケット４と共に、本発明によって紹介する最大の新規性を備える。
【００４５】
これは、複雑な幾何学の要素であって、空洞の円柱９１を提供するが、それは上方部に実現された大きな縦方向の切り込み９２と、側方突起部９３、９４とを有し、それらの突起部は、参照番号９５によって指示される点と一致して中央の円柱本体９１と接合され、円柱本体９１に関して対称に設けられる。
【００４６】
前記突起部９３、９４は、断面で見ると、ひざ部９６内に固定される２本のロッド９３、９４として図式化することができ、ソケット４に実現された縮小角度の蝶番内にある端部９７が、その軸の周りの回転を部分的にしか可能にしない。
【００４７】
さらに２つの突起部９８が設けられるが、円柱本体９１に対して対称であり、針５担持ソケット４を不可逆的に引っ掛ける端部９９が設けられる。
【００４８】
以下に、本発明による注射器１００の動作を述べ、それによりここに紹介する全ての革新的な特徴を明らかにする。
【００４９】
針５担持ソケット４は、注射器１００内に配置され、どのような動きも阻止されている。特にソケット４の垂直方向の下向きの動きは、ゴム密閉ガスケット７と注射器１００のリップ状突出部に得られた適切な座部１３との間の結合力によって防止され、同時に、上向きの垂直方向の動きは、固定用座部１１に当接するダブル・フック要素９のひざ部９６によって防止される。
【００５０】
ソケット４の横方向の動きに関しては、ソケット４とリップ状突出部３０の、密接な接合から抑制が成り立ち、一方注射器の軸の周りの回転運動は、ダブル・フック要素９のひざ部９６と固定用座部１１との間の力トルクの抵抗によって防止される。
【００５１】
バネ８及び密閉ガスケット７は圧縮され、ダブル・フック要素９のひざ部９６を、前記座部１１と係合して、ソケット４を上向きに押し付けて、それを定位置に維持する助けとなる。
【００５２】
注射中、ピストン２が、ボタンに向かって移動し、容器１に視認可能な印によって指示された不可逆点１５を一旦通過すると、ピストン２は、固定接合要素９９を作動状態にするように作用し、同時にダブル・フック要素９に作用して、それを下に押し下げる。
【００５３】
前記押し下げによって、側方突起部９３、９４が変形して、容器１に実現された固定用座部１１からひざ部９６を開放することが可能になる。ダブル・フック要素９は、下向きに滑動して、突起部９８の固定接合要素９９によって、結合座部４３と係合して、針５担持ソケット４に掛かり、そのようにしてこのソケット４と単一のアセンブリを実現する。
【００５４】
前記動作は、二度とダブル・フック要素９を始動条件に戻すことは不可能となるように、不可逆性である。
【００５５】
針５、針５担持ソケット４、及びダブル・フック要素９から成るアセンブリは、バネ８の作用によって後ろ向けに滑動し、バネは復元してリップ状突出部３０とともに針５を引き入れる。
【００５６】
バネ８はピストン２にも作用し、それによってピストンが後退して、容器１内に針５を受け取るスペースを空ける。
【００５７】
図３は、容器１のリップを断面で示し、針５ソケット４、作動位置にあるダブル・フック要素９、バネ８、及び圧縮された密閉ガスケット７を明らかにする。ピストン２の推進によって、側方突起部９３、９４が回転によって変形して、ひざ９６を固定用座部１１から開放することが可能になる。ダブル・フック要素９は、下向きに滑動して、固定接合要素９９が設けられた突起部９８によって、結合座部４３と一致して、針５担持ソケット４と掛かり、そのようにしてこのソケット４と単一のアセンブリを実現する。
【００５８】
本発明を、好ましい実施例によって、限定する目的ではなく、例示的目的で記述したが、言うまでもなく、当業者によって、ここに同封する請求項に規定する通りの該当範囲から逸脱せずに、修正形態及び／又は変更形態を行なうことができる。
【図面の簡単な説明】
【００５９】
【図１】本発明による使い捨て注射器の、部分的に断面図となった図である。
【図２】図１の使い捨て注射器のある箇所の、部分的に断面図となった図である。
【図３】図２のその箇所のより詳しい、部分的に断面図となった図である。
【図４】前記図に示す注射器の針担持ソケットの、部分的に切り取った、詳しい立体透視図である。
【図５】前記図に示す注射器のダブル・フック要素の、部分的に切り取った、詳しい立体透視図である。
【図１】
0004490283.tif 000002
【図２】
0004490283.tif 000003
【図３】
0004490283.tif 000004
【図４】
0004490283.tif 000005
【図５】
0004490283.tif 000006